(57)【要約】【課題】利用者がクロストークを認識しにくい低コストの立体表示装置を提供する。【解決手段】全面点灯および全面消灯するバックライトを備え、画面を上端から下端に向かって順に更新する立体表示装置において、画面下部に文字を表示するときには、バックライトの制御信号ＣＢとシャッター眼鏡の制御信号ＣＸを所定時間ｔｄだけ遅延させる。画面上部に文字を表示するときには、制御信号ＣＢ、ＣＸを時間ｔｄだけ遅延させて、画面を下端から上端に向かって順に更新する。画面に表示される映像の特徴に応じて、画像の表示タイミングとバックライトおよびシャッター眼鏡の制御タイミングの相対的関係を切り替えて、クロストークを認識しにくくする。【選択図】図４
2013258588.tif 000002
【特許請求の範囲】
【請求項１】
シャッター眼鏡方式の立体表示装置であって、
画面を表示する液晶パネルと、
第１制御信号に従い前記画面を第１端から第２端に向かって順に更新し、前記画面に左目用画像および右目用画像を交互に表示させるパネル駆動回路と、
前記液晶パネルの背面側に設けられ、第２制御信号に従い全面点灯および全面消灯するバックライトと、
第３制御信号に従い交互に開放状態になる左目用シャッターおよび右目用シャッターを有するシャッター眼鏡と、
前記第１、第２および第３制御信号を生成する制御信号生成部と、
前記画面に表示される映像の特徴に応じて、前記第１制御信号に対する前記第２および第３制御信号の相対的なタイミングを切り替えるタイミング調整部とを備えた、立体表示装置。
【請求項２】
前記タイミング調整部は、前記画面に表示される文字の位置に応じて、前記第１制御信号に対する前記第２および第３制御信号の相対的なタイミングを切り替えることを特徴とする、請求項１に記載の立体表示装置。
【請求項３】
前記画面内で前記第１端よりも前記第２端に近い位置に文字が表示されるときには、前記タイミング調整部は前記制御信号生成部で生成された前記第２および第３制御信号を遅延させることを特徴とする、請求項２に記載の立体表示装置。
【請求項４】
前記画面内で前記第２端よりも前記第１端に近い位置に文字が表示されるときには、前記タイミング調整部は前記制御信号生成部で生成された前記第２および第３制御信号を遅延させ、前記パネル駆動回路は前記画面を前記第２端から前記第１端に向かって順に更新することを特徴とする、請求項３に記載の立体表示装置。
【請求項５】
前記画面内で前記第２端よりも前記第１端に近い位置に文字が表示されるときには、前記タイミング調整部は前記制御信号生成部で生成された前記第１制御信号を遅延させることを特徴とする、請求項３に記載の立体表示装置。
【請求項６】
前記制御信号生成部は、前記画面の中央部で前記左目用画像および前記右目用画像が分離して表示されるタイミングに従い、前記第１、第２および第３制御信号を出力することを特徴とする、請求項２に記載の立体表示装置。
【請求項７】
入力映像信号に基づき、前記画面に表示される文字の位置を示す判定信号を出力する映像判定部をさらに備え、
前記タイミング調整部は、前記判定信号に応じて、前記第１制御信号に対する前記第２および第３制御信号の相対的なタイミングを切り替えることを特徴とする、請求項２に記載の立体表示装置。
【請求項８】
前記タイミング調整部は、外部から供給された、前記画面に表示される文字の位置を示す判定信号に応じて、前記第１制御信号に対する前記第２および第３制御信号の相対的なタイミングを切り替えることを特徴とする、請求項２に記載の立体表示装置。
【請求項９】
前記第１端が前記画面の上端であり、前記第２端が前記画面の下端であることを特徴とする、請求項２に記載の立体表示装置。
【請求項１０】
画面を表示する液晶パネルと、第１制御信号に従い前記画面を第１端から第２端に向かって順に更新し、前記画面に左目用画像および右目用画像を交互に表示させるパネル駆動回路と、前記液晶パネルの背面側に設けられ、第２制御信号に従い全面点灯および全面消灯するバックライトと、第３制御信号に従い交互に開放状態になる左目用シャッターおよび右目用シャッターを有するシャッター眼鏡とを含む立体表示装置の駆動方法であって、
前記第１、第２および第３制御信号を生成するステップと、
前記画面に表示される映像の特徴に応じて、前記第１制御信号に対する前記第２および第３制御信号の相対的なタイミングを切り替えるステップとを備えた、立体表示装置の駆動方法。
【発明の詳細な説明】
【技術分野】
【０００１】
本発明は、立体表示装置に関し、特に、シャッター眼鏡方式の立体表示装置に関する。
【背景技術】
【０００２】
従来から、画像を立体的に表示する各種の立体表示装置が知られている。以下、液晶パネルに画面を表示する、シャッター眼鏡方式の立体表示装置について説明する。シャッター眼鏡方式の立体表示装置では、画面に左目用画像と右目用画像が交互に表示され、利用者は左目用シャッターと右目用シャッターを有する眼鏡（以下、シャッター眼鏡という）を掛けて画面を見る。シャッター眼鏡は、左目用画像が表示されている間は左目用シャッターが開放状態になり、右目用画像が表示されている間は右目用シャッターが開放状態になるように制御される。これにより、利用者は立体画像を認識する。
【０００３】
シャッター眼鏡方式の立体表示装置では、左目用画像と右目用画像が混在して表示される現象（クロストークと呼ばれる）が発生し、表示品位が低下することがある。クロストークを低減するためには、画像表示とバックライトおよびシャッター眼鏡の制御を好適なタイミングで行う必要がある。
【０００４】
特許文献１には、画面を複数の領域に分割し、領域ごとに点灯と消灯を制御できるバックライトを用いて、クロストークを低減する立体表示装置が記載されている。この立体表示装置には、バックライトの制御を領域ごとに行うのでコストが増大するという問題がある。立体表示装置のコストを低減するためには、全面点灯および全面消灯するバックライトを用いることが好ましい。
【先行技術文献】
【特許文献】
【０００５】
【特許文献１】特開２０１０−２７６９２８号公報
【発明の概要】
【発明が解決しようとする課題】
【０００６】
しかしながら、全面点灯および全面消灯するバックライトを用いた立体表示装置では、画面全体でクロストークを一定にすることは困難である。図１３は、立体表示装置における画素の透過率の変化の例を示す図である。画面を上端から下端に向かって順に更新する場合、画面中央部の画素の透過率は画面上部の画素の透過率よりも遅れて変化し、画面下部の画素の透過率は画面中央部の画素よりも遅れて変化する。バックライトは、期間Ｔ１で点灯する。
【０００７】
従来の立体表示装置では、画像を表示するタイミングとバックライトおよびシャッター眼鏡を制御するタイミングは、画面中央部でクロストークが小さくなるように固定的に決定されている。このため、画面中央部ではクロストークは小さくなるが、画面上部と画面下部では画面中央部よりも大きなクロストークが発生する。
【０００８】
図１３では、画面上部の画素の透過率は、バックライト点灯期間Ｔ１内で変化し始める。このようにバックライトが消灯する前に画素の透過率が変化し始めるので、画面上部では現フレームの画像に次フレームの画像が混入し、クロストークが発生する。一方、画面下部の画素の透過率は、バックライト点灯期間Ｔ１の開始時点でまだ最終値に到達していない。このように画素の透過率が最終値に到達する前にバックライトが点灯がするので、画面下部では現フレームの画像に前フレームの画像が混入し、クロストークが発生する。
【０００９】
クロストークによる表示品位の低下は、画面に文字を表示するときに顕著になる。一般に、映画の字幕は画面下部に表示され、データ放送では画面上部にテキストが表示される。このため、画面中央部でクロストークが小さくなるように各種のタイミングを決定すると、画面下部に表示される映画の字幕や画面上部に表示されるデータ放送のテキストの視認性が低下する。
【００１０】
それ故に、本発明は、利用者がクロストークを認識しにくい低コストの立体表示装置を提供することを目的とする。
【課題を解決するための手段】
【００１１】
第１の発明は、シャッター眼鏡方式の立体表示装置であって、
画面を表示する液晶パネルと、
第１制御信号に従い前記画面を第１端から第２端に向かって順に更新し、前記画面に左目用画像および右目用画像を交互に表示させるパネル駆動回路と、
前記液晶パネルの背面側に設けられ、第２制御信号に従い全面点灯および全面消灯するバックライトと、
第３制御信号に従い交互に開放状態になる左目用シャッターおよび右目用シャッターを有するシャッター眼鏡と、
前記第１、第２および第３制御信号を生成する制御信号生成部と、
前記画面に表示される映像の特徴に応じて、前記第１制御信号に対する前記第２および第３制御信号の相対的なタイミングを切り替えるタイミング調整部とを備える。
【００１２】
第２の発明は、第１の発明において、
前記タイミング調整部は、前記画面に表示される文字の位置に応じて、前記第１制御信号に対する前記第２および第３制御信号の相対的なタイミングを切り替えることを特徴とする。
【００１３】
第３の発明は、第２の発明において、
前記画面内で前記第１端よりも前記第２端に近い位置に文字が表示されるときには、前記タイミング調整部は前記制御信号生成部で生成された前記第２および第３制御信号を遅延させることを特徴とする。
【００１４】
第４の発明は、第３の発明において、
前記画面内で前記第２端よりも前記第１端に近い位置に文字が表示されるときには、前記タイミング調整部は前記制御信号生成部で生成された前記第２および第３制御信号を遅延させ、前記パネル駆動回路は前記画面を前記第２端から前記第１端に向かって順に更新することを特徴とする。
【００１５】
第５の発明は、第３の発明において、
前記画面内で前記第２端よりも前記第１端に近い位置に文字が表示されるときには、前記タイミング調整部は前記制御信号生成部で生成された前記第１制御信号を遅延させることを特徴とする。
【００１６】
第６の発明は、第２の発明において、
前記制御信号生成部は、前記画面の中央部で前記左目用画像および前記右目用画像が分離して表示されるタイミングに従い、前記第１、第２および第３制御信号を出力することを特徴とする。
【００１７】
第７の発明は、第２の発明において、
入力映像信号に基づき、前記画面に表示される文字の位置を示す判定信号を出力する映像判定部をさらに備え、
前記タイミング調整部は、前記判定信号に応じて、前記第１制御信号に対する前記第２および第３制御信号の相対的なタイミングを切り替えることを特徴とする。
【００１８】
第８の発明は、第２の発明において、
前記タイミング調整部は、外部から供給された、前記画面に表示される文字の位置を示す判定信号に応じて、前記第１制御信号に対する前記第２および第３制御信号の相対的なタイミングを切り替えることを特徴とする。
【００１９】
第９の発明は、第２の発明において、
前記第１端が前記画面の上端であり、前記第２端が前記画面の下端であることを特徴とする。
【００２０】
第１０の発明は、画面を表示する液晶パネルと、第１制御信号に従い前記画面を第１端から第２端に向かって順に更新し、前記画面に左目用画像および右目用画像を交互に表示させるパネル駆動回路と、前記液晶パネルの背面側に設けられ、第２制御信号に従い全面点灯および全面消灯するバックライトと、第３制御信号に従い交互に開放状態になる左目用シャッターおよび右目用シャッターを有するシャッター眼鏡とを含む立体表示装置の駆動方法であって、
前記第１、第２および第３制御信号を生成するステップと、
前記画面に表示される映像の特徴に応じて、前記第１制御信号に対する前記第２および第３制御信号の相対的なタイミングを切り替えるステップとを備える。
【発明の効果】
【００２１】
上記第１または第１０の発明によれば、画像を表示するタイミングとバックライトおよびシャッター眼鏡を制御するタイミングの相対的関係が、映像の特徴に応じて切り替わる。したがって、画面内でクロストークが小さくなる部分を映像の特徴に応じて切り替えて、クロストークを認識しにくくすることができる。また、全面点灯および全面消灯するバックライトを用いることにより、立体表示装置のコストを低減することができる。
【００２２】
上記第２の発明によれば、画像を表示するタイミングとバックライトおよびシャッター眼鏡を制御するタイミングの相対的関係が、文字の表示位置に応じて切り替わる。したがって、画面内でクロストークが小さくなる部分を文字の表示位置に応じて切り替えて、クロストークを認識しにくくすることができる。
【００２３】
上記第３の発明によれば、画面内で後半に更新される部分に文字が表示されるときには、バックライトおよびシャッター眼鏡を制御するタイミングを遅くすることにより、文字の表示位置でクロストークを小さくし、クロストークを認識しにくくすることができる。
【００２４】
上記第４の発明によれば、画面内で前半に更新される部分に文字が表示されるときには、バックライトおよびシャッター眼鏡を制御するタイミングを遅くする共に、画面を逆の順序で更新することにより、文字の表示位置でクロストークを小さくし、クロストークを認識しにくくすることができる。
【００２５】
上記第５の発明によれば、画面内で前半に更新される部分に文字が表示されるときには、画像を表示するタイミングを遅くすることにより、文字の表示位置でクロストークを小さくし、クロストークを認識しにくくすることができる。
【００２６】
上記第６の発明によれば、制御信号生成部で生成された制御信号を用いて画像表示とバックライトおよびシャッター眼鏡の制御を行うことにより、画面の中央部でクロストークを小さくすることができる。
【００２７】
上記第７の発明によれば、文字の表示位置を示す判定信号を立体表示装置の内部で生成し、これを用いて画面内でクロストークが小さくなる部分を切り替えて、クロストークを認識しにくくすることができる。
【００２８】
上記第８の発明によれば、立体表示装置の外部から供給された、文字の表示位置を示す判定信号を用いて画面内でクロストークが小さくなる部分を切り替えて、クロストークを認識しにくくすることができる。
【００２９】
上記第９の発明によれば、画面を上端から下端に向かって順に更新する立体表示装置において、画面内でクロストークが小さくなる部分を文字の表示位置に応じて切り替えて、クロストークを認識しにくくすることができる。
【図面の簡単な説明】
【００３０】
【図１】本発明の第１の実施形態に係る立体表示装置の構成を示すブロック図である。
【図２】図１に示す立体表示装置に含まれる表示制御部の詳細を示すブロック図である。
【図３】図１に示す立体表示装置について通常モードにおける画素の透過率の変化の例を示す図である。
【図４】図１に示す立体表示装置について映画モードにおける画素の透過率の変化の例を示す図である。
【図５】本発明の第２の実施形態に係る立体表示装置に含まれる表示制御部の詳細を示すブロック図である。
【図６】本発明の第２の実施形態に係る立体表示装置についてデータ放送モードにおける画素の透過率の変化の例を示す図である。
【図７】本発明の第３の実施形態に係る立体表示装置の構成を示すブロック図である。
【図８】図７に示す立体表示装置に含まれる表示制御部の詳細を示すブロック図である。
【図９】図７に示す立体表示装置についてデータ放送モードにおける画素の透過率の変化の例を示す図である。
【図１０】本発明の第１変形例に係る立体表示装置に含まれる表示制御部の詳細を示すブロック図である。
【図１１】本発明の第２変形例に係る立体表示装置に含まれる表示制御部の詳細を示すブロック図である。
【図１２】本発明の第３変形例に係る立体表示装置に含まれる表示制御部の詳細を示すブロック図である。
【図１３】従来の立体表示装置における画素の透過率の変化の例を示す図である。
【発明を実施するための形態】
【００３１】
（第１の実施形態）
図１は、本発明の第１の実施形態に係る立体表示装置の構成を示すブロック図である。図１に示す立体表示装置１０は、液晶パネル１、走査信号線駆動回路２、映像信号線駆動回路３、バックライト４、シャッター眼鏡５、および、表示制御部１１を備えている。立体表示装置１０は、シャッター眼鏡方式の立体表示を行う。
【００３２】
液晶パネル１は、画面を表示する表示パネルである。液晶パネル１は、ｍ本の走査信号線Ｇ１〜Ｇｍ、ｎ本の映像信号線Ｓ１〜Ｓｎ、および、（ｍ×ｎ）個の画素Ｐを含んでいる（ただし、ｍおよびｎは２以上の整数）。走査信号線Ｇ１〜Ｇｍは、互いに平行に配置される。映像信号線Ｓ１〜Ｓｎは、走査信号線Ｇ１〜Ｇｍと直交するように互いに平行に配置される。画素Ｐは、走査信号線Ｇ１〜Ｇｍと映像信号線Ｓ１〜Ｓｎの交点のそれぞれに対応して配置され、対応する走査信号線と対応する映像信号線に接続される。
【００３３】
表示制御部１１は、立体表示装置１０の動作を制御する。表示制御部１１には立体表示装置１０の外部から、水平同期信号ＨＳＹＮＣ、垂直同期信号ＶＳＹＮＣ、左右切替信号ＬＲ、および、映像信号Ｄ１が入力される。表示制御部１１は、これらの信号に基づき、走査信号線駆動回路２に対して制御信号ＣＧを出力し、映像信号線駆動回路３に対して制御信号ＣＳと映像信号Ｄ２を出力し、バックライト４に対して制御信号ＣＢを出力し、シャッター眼鏡５に対して制御信号ＣＸを出力する。
【００３４】
走査信号線駆動回路２と映像信号線駆動回路３は、液晶パネル１の駆動回路である。走査信号線駆動回路２は、制御信号ＣＧに基づき、走査信号線Ｇ１〜Ｇｍを順に駆動する。より詳細には、走査信号線駆動回路２に供給される制御信号ＣＧには、ゲートスタートパルスやゲートクロックなどが含まれる。走査信号線駆動回路２は、これらの制御信号に基づき、走査信号線Ｇ１〜Ｇｍを昇順に（Ｇ１、Ｇ２、…、Ｇｍの順に）選択する。走査信号線Ｇｉ（ｉは１以上ｍ以下の整数）の選択期間では、走査信号線Ｇｉに接続されたｎ個の画素Ｐが一括して選択される。
【００３５】
映像信号線駆動回路３は、制御信号ＣＳと映像信号Ｄ２に基づき、映像信号線Ｓ１〜Ｓｎを駆動する。より詳細には、映像信号線駆動回路３に供給される制御信号ＣＳには、ソーススタートパルスやソースクロックなどが含まれる。映像信号線駆動回路３は、映像信号Ｄ２に含まれるｎ個の映像データに応じてｎ個の階調電圧を生成し、生成したｎ個の階調電圧を映像信号線Ｓ１〜Ｓｎにそれぞれ印加する。これにより、走査信号線駆動回路２を用いて選択されたｎ個の画素Ｐに、ｎ個の階調電圧がそれぞれ書き込まれる。ｎ個の階調電圧を書き込む処理をｍ回行うことにより、液晶パネル１に所望の画像を表示することができる。
【００３６】
以下、液晶パネル１の走査信号線Ｇ１側が画面の上端に対応し、走査信号線Ｇｍ側が画面の下端に対応するものとする。走査信号線Ｇ１〜Ｇｍは昇順に選択されるので、画面は上端から下端に向かって順に更新される。
【００３７】
バックライト４は、液晶パネル１の背面側に設けられ、液晶パネル１の背面に光を照射する。バックライト４は、制御信号ＣＢに従い、全面点灯および全面消灯する。例えば、バックライト４は、制御信号ＣＢがハイレベルのときには全面点灯し、制御信号ＣＢがローレベルのときには全面消灯する。
【００３８】
シャッター眼鏡５は、液晶シャッターで構成された左目用シャッター６Ｌと右目用シャッター６Ｒを有する。シャッター眼鏡５は、制御信号ＣＸに従い、左目用シャッター６Ｌと右目用シャッター６Ｒのうち、いずれを開放状態にするかを切り替える。例えば、制御信号ＣＸがローレベルのときには左目用シャッター６Ｌが開放状態になり、制御信号ＣＸがハイレベルのときには右目用シャッター６Ｒが開放状態になる。
【００３９】
映像信号Ｄ１には、左目用信号と右目用信号が画像単位で交互に含まれている。左右切替信号ＬＲは、映像信号Ｄ１が左目用信号か右目用信号かを示す。映像信号線駆動回路３は、左目用信号と右目用信号を画像単位で交互に用いて映像信号線Ｓ１〜Ｓｎを駆動する。したがって、画面には左目用画像と右目用画像が交互に表示される。利用者は、シャッター眼鏡５を掛けて画面を見る。シャッター眼鏡５は、画面に左目用画像が表示されている間は左目用シャッター６Ｌが開放状態になり、画面に右目用画像が表示されている間は右目用シャッター６Ｒが開放状態になるように制御される。これにより、利用者は立体画像を認識する。
【００４０】
図２は、表示制御部１１の詳細を示すブロック図である。図２に示す表示制御部１１は、制御信号生成部１２、映像判定部１３、タイミング調整部１４、および、バッファメモリ１５を含んでいる。
【００４１】
制御信号生成部１２には、水平同期信号ＨＳＹＮＣ、垂直同期信号ＶＳＹＮＣ、および、左右切替信号ＬＲが入力される。制御信号生成部１２は、これらの制御信号に基づき、制御信号ｃｇ、ｃｓ、ｃｂ、ｃｘを生成する。制御信号生成部１２は、画面中央部でクロストークが小さくなる（画面中央部で左目用画像と右目用画像が分離して表示される）タイミングに従い、制御信号ｃｇ、ｃｓ、ｃｂ、ｃｘを出力する。制御信号ｃｇ、ｃｓは、それぞれ、制御信号ＣＧ、ＣＳとして走査信号線駆動回路２と映像信号線駆動回路３に供給される。
【００４２】
映像判定部１３は、映像信号Ｄ１に基づき、画面に表示される映像の特徴として、画面に表示される文字の位置を示す判定信号Ｑ１を出力する。より詳細には、映像判定部１３は、画面に表示される映像が「画面下部に字幕を含む映画」であるときには値１を有する判定信号Ｑ１を出力し、それ以外のときには値０を有する判定信号Ｑ１を出力する。本実施形態では、判定信号Ｑ１の値が１のときを映画モード、判定信号Ｑ１の値が０のときを通常モードという。
【００４３】
タイミング調整部１４は、遅延回路１６ｃ、１６ｄとスイッチ回路１７ｃ、１７ｄを含んでいる。遅延回路１６ｃ、１６ｄは、それぞれ、制御信号ｃｂ、ｃｘを所定の時間ｔｄだけ遅延させる。時間ｔｄは、例えば、画面の１／３を更新するときの所要時間に設定される。スイッチ回路１７ｃは、映画モードでは遅延回路１６ｃの出力信号を選択し、通常モードでは制御信号ｃｂを選択する。スイッチ回路１７ｄは、映画モードでは遅延回路１６ｄの出力信号を選択し、通常モードでは制御信号ｃｘを選択する。スイッチ回路１７ｃ、１７ｄの出力信号は、それぞれ、制御信号ＣＢ、ＣＸとしてバックライト４とシャッター眼鏡５に供給される。
【００４４】
タイミング調整部１４は、通常モードでは制御信号ｃｂ、ｃｘを制御信号ＣＢ、ＣＸとして出力し、映画モードでは制御信号ｃｂ、ｃｘを時間ｔｄだけ遅延させた信号を制御信号ＣＢ、ＣＸとして出力する。したがって、制御信号ＣＢ、ＣＸは、映画モードでは通常モードよりも時間ｔｄだけ遅延する。このようにしてタイミング調整部１４は、制御信号ＣＧ、ＣＳに対する制御信号ＣＢ、ＣＸの相対的なタイミングを切り替える。
【００４５】
バッファメモリ１５は、映像信号Ｄ１を一時的に蓄積し、蓄積した映像信号を制御信号ＣＧ、ＣＳのタイミングに合わせて出力する。バッファメモリ１５の出力信号は、映像信号Ｄ２として映像信号線駆動回路３に供給される。
【００４６】
以下、立体表示装置１０の効果を説明する。図３および図４は、立体表示装置１０における画素の透過率（画素の輝度）の変化の例を示す図である。図３は通常モードにおける画素の透過率の変化を示し、図４は映画モードにおける画素の透過率の変化を示す。なお、以下の説明では、画面を上下方向に３分割したときに、画面上部、画面中央部、および、画面下部に含まれる３個の画素を考える。画面の上下方向の長さをＬとしたとき、画面上部の画素と画面中央部の画素は画面の上下方向に（Ｌ／３）だけ離れており、画面中央部の画素と画面下部の画素は画面の上下方向に（Ｌ／３）だけ離れているとする。
【００４７】
通常モード（図３）では、画面上部の画素の透過率は、時刻ｔａで変化し始める。画面中央部の画素の透過率は、画面上部の画素の透過率よりも時間ｔｄだけ遅れて変化する。画面下部の画素の透過率は、画面中央部の画素の透過率よりも時間ｔｄだけ遅れて変化する。映画モード（図４）でも、各画素の透過率は、通常モードと同じタイミングで変化する。
【００４８】
通常モードでは、制御信号ＣＢ（図示せず）は時刻ｔｂを始点とする期間Ｔ１でハイレベルになり、バックライト４は期間Ｔ１で全面点灯する。期間Ｔ１は、画面中央部の画素の透過率が最終値に到達する時刻付近で開始し、画面中央部の画素の透過率が変化し始める時刻で終了する。制御信号ＣＸは、期間Ｔ１が終了する時刻付近でハイレベルからローレベルに（あるいは、ローレベルからハイレベルに）変化する。
【００４９】
制御信号ＣＢ、ＣＸは、映画モードでは通常モードよりも時間ｔｄだけ遅延する。映画モードでは、制御信号ＣＢ（図示せず）は時刻（ｔｂ＋ｔｄ）を始点とする期間Ｔ２でハイレベルになり、バックライト４は期間Ｔ２で全面点灯する。期間Ｔ２は、画面下部の画素の透過率が最終値に到達する時刻付近で開始し、画面下部の画素の透過率が変化し始める時刻付近で終了する。制御信号ＣＸは、期間Ｔ２が終了する時刻付近で変化する。
【００５０】
制御信号ｃｇ、ｃｓ、ｃｂ、ｃｘのタイミングは、画面中央部でクロストークが小さくなるように決定される。通常モードでは、制御信号ｃｇ、ｃｓ、ｃｂ、ｃｘがそのまま（遅延させることなく）制御信号ＣＧ、ＣＳ、ＣＢ、ＣＸとして使用されるので、画面中央部でクロストークが小さくなる。一方、映画モードでは、制御信号ＣＢ、ＣＸは通常モードよりも時間ｔｄだけ遅延するので、画面下部でクロストークが小さくなる。
【００５１】
図１３を参照して説明したように、従来の立体表示装置では、画像を表示するタイミングとバックライトおよびシャッター眼鏡を制御するタイミングは、画面中央部でクロストークが小さくなるように固定的に決定される。このため、画面下部では画面中央部よりも大きなクロストークが発生し、画面下部に表示される映画の字幕の視認性が低下する。
【００５２】
立体表示装置１０では、通常モードでは画面中央部でクロストークが小さくなり、映画モードでは画面下部でクロストークが小さくなる。このため、映画モードでは、画面上部と画面中央部では従来よりもクロストークが大きくなるが、画面下部では従来よりもクロストークが小さくなる。画面に表示される映像が「画面下部に字幕を含む映画」である場合、利用者は字幕が表示される画面下部に注目する。したがって、映画モードでは通常モードよりも制御信号ＣＢ、ＣＸを時間ｔｄだけ遅延させることにより、画面下部でクロストークを小さくし、画面下部に表示される映画の字幕の視認性を高めることができる。また、立体表示装置１０は、全面点灯および全面消灯するバックライト４を備えている。したがって、領域ごとに点灯と消灯を制御できるバックライトを備えた立体表示装置よりも、コストを削減することができる。
【００５３】
以上に示すように、本実施形態に係る立体表示装置１０は、画面を表示する液晶パネル１と、第１制御信号（制御信号ＣＧ、ＣＳ）に従い画面を第１端から第２端に向かって（上端から下端に向かって）順に更新し、画面に左目用画像および右目用画像を交互に表示させるパネル駆動回路（走査信号線駆動回路２と映像信号線駆動回路３）と、液晶パネル１の背面側に設けられ、第２制御信号（制御信号ＣＢ）に従い全面点灯および全面消灯するバックライト４と、第３制御信号（制御信号ＣＸ）に従い交互に開放状態になる左目用シャッター６Ｌおよび右目用シャッター６Ｒを有するシャッター眼鏡５と、第１〜第３制御信号（制御信号ｃｇ、ｃｓ、ｃｂ、ｃｘ）を生成する制御信号生成部１２と、入力された映像信号Ｄ１に基づき、画面に表示される映像の特徴（文字の位置）を示す判定信号Ｑ１を出力する映像判定部１３と、画面に表示される映像の特徴（文字の位置）に応じて、第１制御信号に対する第２および第３制御信号の相対的なタイミング（制御信号ＣＧ、ＣＳに対する制御信号ＣＢ、ＣＸの相対的なタイミング）を切り替えるタイミング調整部１４とを備えている。
【００５４】
立体表示装置１０では、画像を表示するタイミングとバックライト４およびシャッター眼鏡５を制御するタイミングとの相対的関係が、映像の特徴（文字の表示位置）に応じて切り替わる。したがって、画面内でクロストークが小さくなる部分を映像の特徴（文字の表示位置）に応じて切り替えて、クロストークを認識しにくくすることができる。また、全面点灯および全面消灯するバックライト４を用いることにより、立体表示装置１０のコストを低減することができる。
【００５５】
また、制御信号生成部１２は、画面中央部で左目用画像および右目用画像が分離して表示されるタイミングで、第１〜第３制御信号（制御信号ｃｇ、ｃｓ、ｃｂ、ｃｘ）を出力する。したがって、制御信号生成部１２で生成された制御信号を用いて画像表示とバックライト４およびシャッター眼鏡５の制御を行うことにより、画面中央部でクロストークを小さくすることができる。また、タイミング調整部１４は、画面内で第１端よりも第２端に近い位置（画面下部）に文字が表示されるときには、制御信号生成部１２で生成された第２および第３制御信号（制御信号ｃｂ、ｃｘ）を遅延させる。画面内で後半に更新される部分（画面下部）に文字が表示されるときには、バックライト４およびシャッター眼鏡５を制御するタイミングを遅くすることにより、文字の表示位置でクロストークを小さくし、クロストークを認識しにくくすることができる。
【００５６】
（第２の実施形態）
本発明の第２の実施形態に係る立体表示装置は、第１の実施形態に係る立体表示装置と同じ構成を有する（図１を参照）。本実施形態に係る立体表示装置は、表示制御部１１に代えて、図５に示す表示制御部２１を備えている。本実施形態の構成要素のうち、第１の実施形態と同一の要素については、同一の参照符号を付して説明を省略する。
【００５７】
図５は、表示制御部２１の詳細を示すブロック図である。図５に示す表示制御部２１は、制御信号生成部１２、映像判定部２３、タイミング調整部２４、および、バッファメモリ２５を含んでいる。
【００５８】
映像判定部２３は、映像信号Ｄ１に基づき、画面に表示される映像の特徴として、画面に表示される文字の位置を示す判定信号Ｑ２を出力する。より詳細には、映像判定部２３は、画面に表示される映像が「画面下部に字幕を含む映画」であるときには値１を有する判定信号Ｑ２を出力し、当該映像が「画面上部にテキストを含むデータ放送」のときには値２を有する判定信号Ｑ２を出力し、それ以外のときには値０を有する判定信号Ｑ２を出力する。本実施形態および第３の実施形態では、判定信号Ｑ１の値が１のときを映画モード、映像が判定信号Ｑ１の値が２のときをデータ放送モード、それ以外のときを通常モードという。
【００５９】
タイミング調整部２４は、遅延回路１６ａ〜１６ｄとスイッチ回路２７ａ〜２７ｄを含んでいる。遅延回路１６ａ〜１６ｄは、それぞれ、制御信号ｃｇ、ｃｓ、ｃｂ、ｃｘを時間ｔｄだけ遅延させる。スイッチ回路２７ａは、判定信号Ｑ２の値が２のときには遅延回路１６ａの出力信号を選択し、それ以外のときには制御信号ｃｇを選択する。スイッチ回路２７ｂは、判定信号Ｑ２の値が２のときには遅延回路１６ｂの出力信号を選択し、それ以外のときには制御信号ｃｓを選択する。スイッチ回路２７ｃは、判定信号Ｑ２の値が１のときには遅延回路１６ｃの出力信号を選択し、それ以外のときには制御信号ｃｂを選択する。スイッチ回路２７ｄは、判定信号Ｑ２の値が１のときには遅延回路１６ｄの出力信号を選択し、それ以外のときには制御信号ｃｘを選択する。スイッチ回路２７ａ〜２７ｄの出力信号は、それぞれ、制御信号ＣＧ、ＣＳ、ＣＢ、ＣＸとして、走査信号線駆動回路２、映像信号線駆動回路３、バックライト４、および、シャッター眼鏡５に供給される。
【００６０】
タイミング調整部２４は、通常モードでは制御信号ｃｇ、ｃｓ、ｃｂ、ｃｘを制御信号ＣＧ、ＣＳ、ＣＢ、ＣＸとして出力し、映画モードでは制御信号ｃｂ、ｃｘを時間ｔｄだけ遅延させた信号を制御信号ＣＢ、ＣＸとして出力し、データ放送モードでは制御信号ｃｇ、ｃｓを時間ｔｄだけ遅延させた信号を制御信号ＣＧ、ＣＳとして出力する。したがって、制御信号ＣＢ、ＣＸは映画モードでは通常モードよりも時間ｔｄだけ遅延し、制御信号ＣＧ、ＣＳはデータ放送モードでは通常モードよりも時間ｔｄだけ遅延する。このようにしてタイミング調整部２４は、制御信号ＣＧ、ＣＳに対する制御信号ＣＢ、ＣＸの相対的なタイミングを切り替える。
【００６１】
バッファメモリ２５は、映像信号Ｄ１を一時的に蓄積し、蓄積した映像信号をＣＧ、ＣＳのタイミングに合わせて出力する。制御信号ＣＧ、ＣＳはデータ放送モードでは通常モードよりも時間ｔｄだけ遅延するので、バッファメモリ２５は映像信号Ｄ１をデータ放送モードでは通常モードよりも時間ｔｄだけ多く遅延させて出力する。バッファメモリ２５の出力信号は、映像信号Ｄ２として映像信号線駆動回路３に供給される。
【００６２】
以下、本実施形態に係る立体表示装置の効果を説明する。図６は、本実施形態に係る立体表示装置について、データ放送モードにおける画素の透過率の変化の例を示す図である。画素の透過率は、通常モードでは図３に示すように変化し、映画モードでは図４に示すように変化し、データ放送モードでは図６に示すように変化する。
【００６３】
データ放送モードでは、通常モードと同様に、制御信号ＣＢ（図示せず）は期間Ｔ１でハイレベルになり、バックライト４は期間Ｔ１で全面点灯する。データ放送モードでは、制御信号ＣＧ、ＣＳと映像信号Ｄ２は通常モードよりも時間ｔｄだけ遅延するので、各画素の透過率は通常モードよりも時間ｔｄだけ遅れて変化する。例えば、画面上部の画素の透過率は、時刻（ｔａ＋ｔｄ）で変化し始める。
【００６４】
本実施形態に係る立体表示装置では、通常モードでは画面中央部でクロストークが小さくなり、映画モードでは画面下部でクロストークが小さくなる。データ放送モードでは、制御信号ＣＧ、ＣＳと映像信号Ｄ２は通常モードよりも時間ｔｄだけ遅延するので、画面上部でクロストークが小さくなる。
【００６５】
このため、データ放送モードでは、画面中央部と画面下部では従来よりもクロストークが大きくなるが、画面上部では従来よりもクロストークが小さくなる。画面に表示される映像が「画面上部にテキストを含むデータ放送」である場合、利用者はテキストが表示される画面上部に注目する。したがって、データ放送モードでは通常モードよりも制御信号ＣＧ、ＣＳと映像信号Ｄ２を時間ｔｄだけ遅延させることにより、画面上部でクロストークを小さくし、画面上部に表示されるデータ放送のテキストの視認性を高めることができる。
【００６６】
以上に示すように、本実施形態に係る立体表示装置では、タイミング調整部２４は、画面内で第２端よりも第１端に近い位置（画面上部）に文字が表示されるときには、制御信号生成部１２で生成された第１制御信号（制御信号ｃｇ、ｃｓ）を遅延させる。このように画面内で前半に更新される部分（画面上部）に文字が表示されるときには、画像を表示するタイミングを遅くすることにより、文字の表示位置でクロストークを小さくし、クロストークを認識しにくくすることができる。
【００６７】
（第３の実施形態）
図７は、本発明の第３の実施形態に係る立体表示装置の構成を示すブロック図である。図７に示す立体表示装置３０は、第１の実施形態に係る立体表示装置１０において、表示制御部１１と走査信号線駆動回路２を、それぞれ、表示制御部３１と走査信号線駆動回路３２に置換したものである。本実施形態の構成要素のうち、第１および第２の実施形態と同一の要素については、同一の参照符号を付して説明を省略する。
【００６８】
図８は、表示制御部３１の詳細を示すブロック図である。図８に示す表示制御部３１は、制御信号生成部１２、映像判定部２３、タイミング調整部３４、および、バッファメモリ３５を含んでいる。
【００６９】
第１の実施形態と同様に、制御信号生成部１２は、制御信号ｃｇ、ｃｓ、ｃｂ、ｃｘを生成する。制御信号ｃｇ、ｃｓは、それぞれ、制御信号ＣＧ、ＣＳとして走査信号線駆動回路２と映像信号線駆動回路３に供給される。第２の実施形態と同様に、映像判定部２３は、映像信号Ｄ１に基づき、値０、１および２のいずれかを有する判定信号Ｑ２を出力する。
【００７０】
タイミング調整部３４は、遅延回路１６ｃ、１６ｄとスイッチ回路３７ｃ、３７ｄを含んでいる。遅延回路１６ｃ、１６ｄは、それぞれ、制御信号ｃｂ、ｃｘを時間ｔｄだけ遅延させる。スイッチ回路３７ｃは、判定信号Ｑ２の値が０のときには制御信号ｃｂを選択し、それ以外のときには遅延回路１６ｃの出力信号を選択する。スイッチ回路３７ｄは、判定信号Ｑ２の値が０のときには制御信号ｃｘを選択し、それ以外のときには遅延回路１６ｄの出力信号を選択する。スイッチ回路３７ｃ、３７ｄの出力信号は、それぞれ、制御信号ＣＢ、ＣＸとしてバックライト４とシャッター眼鏡５に供給される。
【００７１】
走査信号線駆動回路３２は、走査信号線駆動回路２に走査信号線Ｇ１〜Ｇｍの駆動順序を切り替える機能を追加したものである。表示制御部３１は、走査信号線駆動回路３２に対して、走査信号線Ｇ１〜Ｇｍの駆動順序を示す制御信号ＣＹを出力する。制御信号ＣＹは、判定信号Ｑ２の値が２のときにハイレベルになり、それ以外のときはローレベルになる。走査信号線駆動回路３２は、制御信号ＣＹがローレベルのときには走査信号線Ｇ１〜Ｇｍを昇順に（Ｇ１、Ｇ２、…、Ｇｍの順に）選択し、制御信号ＣＹがハイレベルのときには走査信号線Ｇ１〜Ｇｍを降順に（Ｇｍ、Ｇｍ−１、…、Ｇ１の順に）選択する。
【００７２】
タイミング調整部３４は、通常モードでは制御信号ｃｂ、ｃｘを制御信号ＣＢ、ＣＸとして出力し、映画モードとデータ放送モードでは制御信号ｃｂ、ｃｘを時間ｔｄだけ遅延させた信号を制御信号ＣＢ、ＣＸとして出力する。したがって、制御信号ＣＢ、ＣＸは、映画モードとデータ放送モードでは通常モードよりも時間ｔｄだけ遅延する。
【００７３】
走査信号線駆動回路３２は、通常モードと映画モードでは走査信号線Ｇ１〜Ｇｍを昇順に選択し、データ放送モードでは走査信号線Ｇ１〜Ｇｍを降順に選択する。したがって、画面は、通常モードと映画モードでは上端から下端に向かって順に更新され、データ放送モードでは下端から上端に向かって順に更新される。
【００７４】
バッファメモリ３５は、映像信号Ｄ１を一時的に蓄積し、蓄積した映像信号をＣＧ、ＣＳのタイミングに合わせて出力する。データ放送モードでは走査信号線駆動回路３２は走査信号線Ｇ１〜Ｇｍを降順に選択するので、バッファメモリ３５は走査信号線Ｇ１〜Ｇｍの選択順序に合わせて映像信号Ｄ１を出力する。バッファメモリ３５の出力信号は、映像信号Ｄ２として映像信号線駆動回路３に供給される。
【００７５】
以下、立体表示装置３０の効果を説明する。図９は、立体表示装置３０について、データ放送モードにおける画素の透過率の変化の例を示す図である。画素の透過率は、通常モードでは図３に示すように変化し、映画モードでは図４に示すように変化し、データ放送モードでは図９に示すように変化する。
【００７６】
データ放送モードでは、映画モードと同様に、制御信号ＣＢ（図示せず）は期間Ｔ２でハイレベルになり、バックライト４は期間Ｔ２で全面点灯する。データ放送モードでは、画面は下端から上端に向かって順に更新されるので、各画素の透過率は通常モードとは逆の順序で変化する。例えば、画面下部の画素の透過率は、時刻ｔａで変化し始める。画面中央部の画素の透過率は画面下部の画素の透過率よりも時間ｔｄだけ遅れて変化し、画面上部の画素の透過率は画面中央部の画素の透過率よりも時間ｔｄだけ遅れて変化する。
【００７７】
立体表示装置３０では、通常モードでは画面中央部でクロストークが小さくなり、映画モードでは画面下部でクロストークが小さくなる。データ放送モードでは、制御信号ＣＢ、ＣＸは通常モードよりも時間ｔｄだけ遅延し、かつ、画面が下端から上端に向かって順に更新されるので、画面上部でクロストークが小さくなる。したがって、第２の実施形態と同様に、画面上部に表示されるデータ放送のテキストの視認性を高めることができる。
【００７８】
以上に示すように、本実施形態に係る立体表示装置では、画面内で第２端よりも第１端に近い位置（画面上部）に文字が表示されるときには、タイミング調整部３４は制御信号生成部１２で生成された第２および第３制御信号（制御信号ｃｂ、ｃｘ）を遅延させ、パネル駆動回路（走査信号線駆動回路３２と映像信号線駆動回路３）は画面を第２端から第１端に向かって（下端から上端に向かって）順に更新する。このように画面内で前半に更新される部分（画面上部）に文字が表示されるときには、バックライト４およびシャッター眼鏡５を制御するタイミングを遅くする共に、画面を逆の順序で更新することにより、文字の表示位置でクロストークを小さくし、クロストークを認識しにくくすることができる。
【００７９】
なお、本発明の立体表示装置については、以下の変形例を構成することができる。第１〜第３の実施形態に係る立体表示装置は、画面に表示される映像の特徴（より詳細には、画面に表示される文字の位置）を示す判定信号を出力する映像判定部を備えることとした。これに代えて、本発明の変形例に係る立体表示装置は、判定信号を出力する映像判定部を備えず、外部から供給された判定信号を受け取ることとしてもよい。
【００８０】
図１０〜図１２は、本発明の変形例に係る立体表示装置に含まれる表示制御部の詳細を示すブロック図である。第１変形例に係る立体表示装置は、表示制御部１１に代えて、図１０に示す表示制御部１９を備えている。表示制御部１９に含まれるスイッチ回路１７ｃ、１７ｄは、立体表示装置の外部から供給された判定信号Ｑ１に基づき動作する。第２変形例に係る立体表示装置は、表示制御部２１に代えて、図１１に示す表示制御部２９を備えている。表示制御部２９に含まれるスイッチ回路１７ａ〜１７ｄは、立体表示装置の外部から供給された判定信号Ｑ２に基づき動作する。第３変形例に係る立体表示装置は、表示制御部３１に代えて、図１２に示す表示制御部３９を備えている。表示制御部３９に含まれるスイッチ回路１７ｃ、１７ｄは、立体表示装置の外部から供給された判定信号Ｑ２に基づき動作する。
【００８１】
判定信号が立体表示装置の外部から供給される場合には、映像信号Ｄ１を遅延させる処理や映像信号Ｄ１の出力順序を切り替える処理を立体表示装置の外部で行うことにより、表示制御部に含まれるバッファメモリを削除したり、バッファメモリの容量を削減したりすることができる。
【００８２】
また、第１〜第３の実施形態に係る立体表示装置では、映像判定部は、例として、画面に表示される映像が「画面下部に字幕を含む映画」か「画面上部にテキストを含むデータ放送」を判定することとした。映像判定部は、画面に表示される映像が上記以外の特徴を有するかを判定してもよい。例えば、映像判定部は画面に表示される文字の位置をより正確に判定し、タイミング調整部は制御信号ＣＧ、ＣＳに対する制御信号ＣＢ、ＣＸの相対的なタイミングを多段階に切り替えてもよい。
【符号の説明】
【００８３】
１…液晶パネル
２、３２…走査信号線駆動回路
３…映像信号線駆動回路
４…バックライト
５…シャッター眼鏡
６…シャッター
１０、３０…立体表示装置
１１、１９、２１、２９、３１、３９…表示制御部
１２…制御信号生成部
１３、２３…映像判定部
１４、２４、３４…タイミング調整部
１５、２５、３５…バッファメモリ
１６…遅延回路
１７、２７、３７…スイッチ回路
【図１】
2013258588.tif 000003
【図２】
2013258588.tif 000004
【図３】
2013258588.tif 000005
【図４】
2013258588.tif 000006
【図５】
2013258588.tif 000007
【図６】
2013258588.tif 000008
【図７】
2013258588.tif 000009
【図８】
2013258588.tif 000010
【図９】
2013258588.tif 000011
【図１０】
2013258588.tif 000012
【図１１】
2013258588.tif 000013
【図１２】
2013258588.tif 000014
【図１３】
2013258588.tif 000015